(57)【要約】【課題】高ＮＡ化した対物レンズ系を用いる場合、再生信号のＳ／Ｎ比の低下を抑制することができる光ディスク装置を提供する。【解決手段】この光ディスク装置は、光源と、この光源より出射されたレーザ・ビーム光を光ディスク媒体に集束させる少なくとも１つの対物レンズを含む対物レンズ系１０と、光ディスク媒体Ｄｃからの反射光を上記対物レンズ系１０を介して検出器４３に導く再生光学系４０とを備える光ディスク装置において、光源の偏光方向が光ディスク媒体Ｄｃの記録トラックＴｒと実質的に平行な方向である場合には、上記対物レンズ系１０は、光源の波長域において、この対物レンズ系１０からみたＳ偏光透過率がＰ偏光透過率よりも実質的に大であることを特徴とする。【選択図】　図１
2004005810.tif 000002
【特許請求の範囲】
【請求項１】
光源と、この光源より出射されたレーザ・ビーム光を光ディスク媒体に集束させる少なくとも１つの対物レンズを含む対物レンズ系と、光ディスク媒体からの戻り光を上記対物レンズ系を介して検出器に導く再生光学系とを備える光ディスク装置において、
光源の偏光方向が光ディスク媒体の記録トラックと実質的に平行な方向であるとともに、上記対物レンズ系は、光源の波長域において、この対物レンズ系からみたＳ偏光透過率がＰ偏光透過率よりも実質的に大であることを特徴とする、光ディスク装置。
【請求項２】
光源と、この光源より出射されたレーザ・ビーム光を光ディスク媒体に集束させる少なくとも１つの対物レンズを含む対物レンズ系と、光ディスク媒体からの戻り光を上記対物レンズ系を介して検出器に導く再生光学系とを備える光ディスク装置において、
光源の偏光方向が光ディスク媒体の記録トラックと実質的に直交する方向であるとともに、上記対物レンズ系は、光源の波長域において、この対物レンズ系からみたＰ偏光透過率がＳ偏光透過率よりも実質的に大であることを特徴とする、光ディスク装置。
【請求項３】
上記対物レンズ系は、対物レンズと、この対物レンズと光ディスク媒体との間に配置された第１透明体とを含んでおり、上記対物レンズおよび／または第１透明体の表面には、反射防止膜が形成されている、請求項１または２に記載の光ディスク装置。
【請求項４】
光源と、この光源より出射されたレーザ・ビーム光を光ディスク媒体に集束させる少なくとも１つの対物レンズを含む対物レンズ系と、光ディスク媒体からの戻り光束を上記対物レンズ系を介して検出器に導く再生光学系とを備える光ディスク装置において、
上記再生光学系には、入射面と出射面とを有し、入射面と出射面の一方または双方が上記戻り光束の光軸に対して所定の傾きをもって配置された第２透明体が介装されており、この第２透明体の入射面と出射面の一方または双方には、誘電体多層膜が形成されていることを特徴とする、光ディスク装置。
【請求項５】
上記第２透明体は、上記誘電体多層膜により、上記入射面または出射面の傾きに対して定義できるＰ偏光および／またはＳ偏光に対し、上記戻り光束内において透過率の異なる複数の領域が設定されている、請求項４に記載の光ディスク装置。
【請求項６】
光源の偏光方向が光ディスク媒体の記録トラックと実質的に平行な方向であるとともに、上記戻り光束内において、光ディスク媒体の記録トラックと実質的に直交する方向に相当する直径に沿う外縁部近傍の領域は、その余の外縁部領域に対し、光ディスク媒体の記録トラックと実質的に直交する方向に相当する偏光成分の透過率が小さくなっている、請求項５に記載の光ディスク装置。
【請求項７】
光源の偏光方向が光ディスク媒体の記録トラックと実質的に直交する方向であるとともに、上記戻り光束内において、光ディスク媒体の記録トラックと実質的に直交する方向に相当する直径に沿う外縁部近傍の領域は、その余の外縁部領域に対し、光ディスク媒体の記録トラックと実質的に平行な方向に相当する偏光成分の透過率が小さくなっている、請求項５に記載の光ディスク装置。
【請求項８】
上記第２透明体は、上記誘電体多層膜により、上記入射面または出射面の傾きに対して定義できるＰ偏光とＳ偏光についてのＰ−Ｓ位相差に対し、上記戻り光束内において値の異なる複数の領域が設定されている、請求項４に記載の光ディスク装置。
【請求項９】
戻り光束内の中心部領域に付与するＰ−Ｓ位相差に対し、戻り光束内における光ディスク媒体の記録トラックと実質的に直交する方向に相当する直径に沿う外縁部近傍の領域のＰ−Ｓ位相差を相対的に負、戻り光束内における光ディスク媒体の記録トラックの延びる方向に相当する直径に沿う外縁部近傍の領域のＰ−Ｓ位相差を相対的に正としている、請求項８に記載の光ディスク装置。
【発明の詳細な説明】
【０００１】
【発明の属する技術分野】
本願発明は、光ディスク装置に関し、より詳しくは、光ピックアップの光源として、青色系のレーザ光源を使用し、かつ対物レンズを高ＮＡ化した場合に、記録・再生をより適正に行えるように考慮したものに関する。
【０００２】
【発明の背景】
光ディスク装置におけるより一層の高密度記録・再生のための方策は、光ピックアップの対物レンズから光ディスク媒体の記録膜に照射させる光スポットの小径化に向けられる。そして、そのための有効な手段としては、第１に、光ピックアップの光源を短波長化し、たとえば、青色系のレーザ・ダイオードを用いること、第２に、光ピックアップの対物レンズを高ＮＡ（開口数）化すること、がある。
【０００３】
ところで、光源として短波長の青色系（波長４００〜４０５ｎｍ）のレーザ光源を用いる場合、赤色系（波長６６０〜６８５ｎｍ）のレーザ光源を用いる場合と比較し、検出器の感度が約４０％低下することが知られている。このことは、再生信号のＳ／Ｎ比の低下に直結する大きな問題である。加えて、光ピックアップの光学系には、複数の透明体がレンズ、あるいはビーム・スプリッタを構成するプリズムとして用いられるが、短波長光は長波長光に比較して上記のような透明体に吸収されやすいことも知られており、このことは、再生信号のＳ／Ｎ比をさらに低下させる要因となる。
【０００４】
また、対物レンズを高ＮＡ化すると、次のような問題が生じる。すなわち、図２に示すように、レンズ系のＮＡを高めるほど、レンズ系１０を出射した後の収束光束のうちの最外縁光の光ディスク媒体Ｄｃの法線とのなす角度、換言すると、レンズ系の出射面の法線に対する上記最外縁光のなす角度が大きくなり、偏光情報を保存することが困難となっていき、このこともまた、以下に説明するように、再生信号のＳ／Ｎ比を低下させる要因となる。
【０００５】
図３は、光ディスク媒体Ｄｃの記録トラックＴｒ上に照射される光スポットＳｐを光源側から投影的に示すと同時に、対物レンズ系１０の瞳Ｅｅを光源側から投影的に示している。同図に表れているように、光スポットＳｐの径は、記録トラックＴｒの幅よりもやや大となるのが通常である。これは、光ディスク媒体Ｄｃの記録密度をできるだけ高めるべきことと、トラック・エラー信号を適正に取得することとの兼ね合いによるものである。なお、同図は、入射偏光方向を記録トラックＴｒと平行な方向とした場合を示している。
【０００６】
同図において、対物レンズ系の瞳Ｅｅの記録トラックＴｒに沿う直径方向のレンズ系周部領域Ａでは、対物レンズ系１０からみてＰ偏光の光が入射される。したがって、この領域においては、記録膜での反射時に変調されて出現するカー回転成分がＳ偏光成分となる。一方、対物レンズ系１０の記録トラックＴｒに直交する直径方向のレンズ系周部領域Ｂでは、対物レンズ系１０からみてＳ偏光の光が入射される。したがって、この領域においては、記録膜での反射時に変調されて出現するカー回転成分がＰ偏光成分となる。
【０００７】
ところで、再生信号のうち、高周波成分は、レンズ瞳Ｅｅの記録トラックＴｒに沿う直径方向の周辺領域Ａに多く出現することが知られている。また、記録トラックＴｒのピッチと光スポット径の比に依存して、隣接トラックからの回折漏れ信号がレンズ瞳Ｅｅの記録トラックＴｒに直交する直径方向の領域Ｂに出現する。そうすると、図３のように、入射偏光方向が記録トラックと平行な場合、戻り光のＳ偏光成分が特に高周波の再生信号成分を多く含み、戻り光のＰ偏光成分が漏れ込み信号を多く含むことになる。したがって、再生信号のＳ／Ｎ比を高めるためには、ノイズとしての漏れ込み信号をできるだけ削減するべきである。
【０００８】
図４は、入射偏光方向を記録トラックＴｒと直交する方向とした場合について、図３と同様に示した投影図である。同図において、対物レンズ系１０の瞳Ｅｅの記録トラックＴｒに沿う直径方向のレンズ系周部領域Ａでは、対物レンズ系１０からみてＳ偏光の光が入射される。したがって、この領域においては、記録膜での反射時に変調されて出現するカー回転成分がＰ偏光成分となる。一方、対物レンズ系１０の記録トラックＴｒに直交する直径方向のレンズ系周部領域Ｂでは、対物レンズ系１０からみてＰ偏光の光が入射される。したがって、この領域においては、記録膜での反射時に変調されて出現するカー回転成分がＳ偏光成分となる。
【０００９】
図３について説明したのと同様に、再生信号のうち、高周波成分は、レンズ瞳Ｅｅの記録トラックＴｒに沿う直径方向の周辺領域Ａに多く出現する。また、記録トラックＴｒのピッチと光スポット径の比に依存して、隣接トラックからの回折漏れ信号がレンズ瞳Ｅｅの記録トラックＴｒに直交する直径方向の領域Ｂに出現する。そうすると、入射偏光方向が記録トラックと直交する場合、戻り光のＰ偏光成分が特に高周波の再生信号成分を多く含み、戻り光のＳ偏光成分が漏れ込み信号を多く含むことになる。この場合においても、再生信号のＳ／Ｎ比を高めるためには、ノイズとしての漏れ込み信号をできるだけ削減するべきである。
【００１０】
したがって、本願発明の目的は、高ＮＡ化した対物レンズ系を用いる場合、再生信号のＳ／Ｎ比の低下を抑制することができる光ディスク装置を提供することをその課題としている。
【００１１】
【発明の開示】
上記の課題を解決するため、本願発明では、次の技術的手段を採用した。
【００１２】
本願発明の第１の側面によって提供される光ディスク装置は、光源と、この光源より出射されたレーザ・ビーム光を光ディスク媒体に集束させる少なくとも１つの対物レンズを含む対物レンズ系と、光ディスク媒体からの戻り光を上記対物レンズ系を介して検出器に導く再生光学系とを備える光ディスク装置において、
光源の偏光方向が光ディスク媒体の記録トラックと実質的に平行な方向であるとともに、上記対物レンズ系は、光源の波長域において、この対物レンズ系からみたＳ偏光透過率がＰ偏光透過率よりも実質的に大であることを特徴とする。
【００１３】
本願の第１の側面によって提供される他の光ディスク装置は、光源と、この光源より出射されたレーザ・ビーム光を光ディスク媒体に集束させる少なくとも１つの対物レンズを含む対物レンズ系と、光ディスク媒体からの戻り光を上記対物レンズ系を介して検出器に導く再生光学系とを備える光ディスク装置において、
光源の偏光方向が光ディスク媒体の記録トラックと実質的に直交する方向であるとともに、上記対物レンズ系は、光源の波長域において、この対物レンズ系からみたＰ偏光透過率がＳ偏光透過率よりも実質的に大であることを特徴とする。
【００１４】
好ましい実施の形態において、上記対物レンズ系は、対物レンズと、この対物レンズと光ディスク媒体との間に配置された第１透明体とを含んでおり、上記対物レンズおよび／または第１透明体の表面には、反射防止膜が形成されている。
【００１５】
本願発明の第２の側面によって提供される光ディスク装置は、光源と、この光源より出射されたレーザ・ビーム光を光ディスク媒体に集束させる少なくとも１つの対物レンズを含む対物レンズ系と、光ディスク媒体からの戻り光束を上記対物レンズ系を介して検出器に導く再生光学系とを備える光ディスク装置において、
上記再生光学系には、入射面と出射面とを有し、入射面と出射面の一方または双方が上記戻り光束の光軸に対して所定の傾きをもって配置された第２透明体が介装されており、この第２透明体の入射面と出射面の一方または双方には、誘電体多層膜が形成されていることを特徴とする。
【００１６】
好ましい実施の形態においては、上記第２透明体は、上記誘電体多層膜により、上記入射面または出射面の傾きに対して定義できるＰ偏光および／またはＳ偏光に対し、上記戻り光束内において透過率の異なる複数の領域が設定されている。
【００１７】
好ましい実施の形態においては、光源の偏光方向が光ディスク媒体の記録トラックと実質的に平行な方向であるとともに、上記戻り光束内において、光ディスク媒体の記録トラックと実質的に直交する方向に相当する直径に沿う外縁部近傍の領域は、その余の外縁部領域に対し、光ディスク媒体の記録トラックと実質的に直交する方向に相当する偏光成分の透過率が小さくなっている。
【００１８】
他の好ましい実施の形態においては、光源の偏光方向が光ディスク媒体の記録トラックと実質的に直交する方向であるとともに、上記戻り光束内において、光ディスク媒体の記録トラックと実質的に直交する方向に相当する直径に沿う外縁部近傍の領域は、その余の外縁部領域に対し、光ディスク媒体の記録トラックと実質的に平行な方向に相当する偏光成分の透過率が小さくなっている。
【００１９】
好ましい実施の形態においては、上記第２透明体は、上記誘電体多層膜により、上記入射面または出射面の傾きに対して定義できるＰ偏光とＳ偏光についてのＰ−Ｓ位相差に対し、上記戻り光束内において値の異なる複数の領域が設定されている。
【００２０】
好ましい実施の形態においてはまた、戻り光束内の中心部領域に付与するＰ−Ｓ位相差に対し、戻り光束内における光ディスク媒体の記録トラックと実質的に直交する方向に相当する直径に沿う外縁部近傍の領域のＰ−Ｓ位相差を相対的に負、戻り光束内における光ディスク媒体の記録トラックの延びる方向に相当する直径に沿う外縁部近傍の領域のＰ−Ｓ位相差を相対的に正としている。
【００２１】
本願発明の上記の各側面によって特徴づけられた事項の技術的意義については、図面を参照して以下に行なう詳細な説明において明らかにする。
【００２２】
【発明の実施の形態】
以下、本願発明の好ましい実施の形態につき、図面を参照しつつ具体的に説明する。
【００２３】
図１は、本願発明が適用される光ディスク装置１の構成の一部を模式的に示している。符号２は、光ピックアップを模式的に示しており、この光ピックアップ２は、光ディスク媒体Ｄｃに近い第１レンズ１１と、光ディスク媒体Ｄｃから遠い第２レンズ１２とを含む対物レンズ系１０を備えている。第２レンズ１２は、たとえば直進ボイス・コイル・モータなどの駆動機構によって光ディスク媒体Ｄｃの半径方向にシーク運動させられる図示しないキャリッジに対し、トラッキング・サーボおよびフォーカス・サーボ用の２次元アクチュエータ１３を介して支持されている。第１レンズ１１は、たとえば、回転する光ディスク媒体Ｄｃに対して浮上させられるスライダに搭載される。このスライダは、サスペンション部材を介して上記のキャリッジに支持される。この実施形態では、第１レンズ１１は、この第１レンズ１１に対して光ディスク媒体側に位置する第１透明体１４と一体化されている。この第１透明体１４の光ディスク媒体側の面は、ほぼフラットな面となっており、この面の近傍には、透過光束を取り囲むことができるようにして、磁界変調記録用のコイル１５が埋設されている。
【００２４】
光ディスク媒体Ｄｃは、樹脂製の基板Ｄｃｓの片面に記録膜Ｄｃｆを形成し、この記録膜Ｄｃｆを保護コートＤｃｃで覆った断面構成を備える。良く知られているように、記録膜Ｄｃｆには、らせん状の記録トラックＴｒが形成されている。図１において光ディスク媒体Ｄｃは、その断面の一部を示しているが、図１に矢印Ｒで示す方向に回転するものとする。すなわち、図１に示される光ディスク媒体Ｄｃは、記録トラックＴｒに沿う断面で示されている。
【００２５】
たとえば短波長青色系のレーザ・ダイオードからなる光源から発せられたレーザ・ビーム光は、第１のビーム・スプリッタ２０を透過した後、上記の対物レンズ系１０に入射させられる。対物レンズ系１０は、上記のレーザ・ビーム光を絞り、光ディスク媒体Ｄｃの記録膜Ｄｃｆに光スポットＳｐを形成する。光源から発せられるレーザ・ビーム光にあらかじめ付与される偏光、すなわち、対物レンズ系１０への入射偏光は、図１に示す実施形態の場合、光ディスク媒体Ｄｃの記録トラックＴｒと平行な方向としてある。記録膜Ｄｃｆで反射させられた戻り光束Ｂｍは、対物レンズ系１０において入射レーザ・ビーム光と同じ経路をたどった後、第１のビーム・スプリッタ２０によって経路を変換させられ、さらに第２のビーム・スプリッタ３０によって、サーボ信号検出系に向けられる光束と、再生信号検出系４０に向けられる光束とに分離される。サーボ信号検出系では、トラッキング・サーボ信号およびフォーカス・サーボ信号が検出される。再生信号検出系４０に導かれた戻り光束Ｂｍは、ウォラストン・プリズム４１を通過した後、レンズ４２によってビーム径が絞られて検出器４３に照射され、この検出器４３によって再生信号が検出される。なお、図に示す実施形態では、再生信号検出系４０での戻り光束Ｂｍを所定の角度をもって横断するように、一定厚みをもつ第２の透明体５０が介装されているが、これについては、さらに後述する。
【００２６】
さて、対物レンズ系１０を高ＮＡ化（たとえばＮＡ＞０．７５）すると、図３を参照してすでに説明したように、入射偏光の方向が記録トラックと平行な方向である場合には、戻り光のＳ偏光成分が高周波の再生信号成分を多く含み、戻り光のＰ偏光成分が漏れ込み信号を多く含むことになる。高密度記録・再生を適正に行うためには、微小マークの読み取りをよりＳ／Ｎ比良く行う必要があるのであり、そのためには、高周波の再生信号をより適正に検出するようにする必要がある。このような必要を満足するための一つの回答として、本願発明の第１の側面では、対物レンズ系１０からみたＳ偏光透過率ＴｓをＰ偏光透過率Ｔｐよりも実質的に大とする。すなわち、図１に示される対物レンズ系１０には、第１レンズ１１、第２レンズ１２および第１透明体１４が含まれ、それぞれの表面には、反射防止膜が形成されるが、これらの反射防止膜の総合的な仕様として、上記のように、Ｓ偏光透過率ＴｓをＰ偏光透過率Ｔｐよりも大とするのである。たとえば、この対物レンズ系１０全体としての平均Ｔｐが９３％、平均Ｔｓが９７％とされ、最外縁でのＴｐが９０％、Ｔｓが９５％とされる。このように構成することにより、記録膜Ｄｃｆでの反射時のカー回転によってＳ偏光成分として出現する高周波再生信号成分が強調される一方、Ｐ偏光成分として隣接トラックから漏れ込む信号成分が減じられるので、Ｓ／Ｎ比の良好な高周波再生信号を取得することが可能となる。
【００２７】
なお、上記は、入射偏光の方向が記録トラックと平行な方向である場合であるが、図４に示されるように、入射偏光の方向が記録トラックと直交する方向である場合には、対物レンズ系１０からみたＰ偏光透過率ＴｐをＳ偏光透過率Ｔｓよりも実質的に大とするべきであることは、容易に理解されよう。
【００２８】
第１ビーム・スプリッタ２０の分光比としては、図１に示す実施形態では、対物レンズ系への入射偏光の方向を考慮し、Ｓ偏光成分の反射率は限りなく１００％に近く設定される。また、第２ビーム・スプリッタ３０においても、この第２ビーム・スプリッタ３０からみたＳ偏光成分の反射率が限りなく１００％に設定されており、これにより、再生信号としての見かけのカー回転角が増幅させられたＳ偏光成分を含む戻り光は、再生信号検出系４０に導かれ、第２透明体５０に入射させられる。上述したように、この第２透明体５０は、戻り光束Ｂｍに対してたとえば３０度の角度をもって配置された平行透明平板として構成することができる。
【００２９】
この第２透明体５０の一面が入射面５１となり、他面が出射面５２となる。入射面５１と出射面５２には、それぞれ、誘電体多層膜５１ａ，５２ａが形成され、これらの誘電体多層膜は、良く知られているように、Ｐ偏光およびＳ偏光の透過率と、Ｐ偏光とＳ偏光の位相差（Ｐ−Ｓ位相差）を所望のように設定することができる。
【００３０】
第２透明体５０は、上記のように戻り光束Ｂｍに対して傾斜させられているため、この第２透明体５０を基準としたＰ偏光とＳ偏光を定義することができるのであり、これらのことに鑑みて本願発明の第２の側面では、第２透明体５０の誘電体多層膜５１ａ，５２ａにより、戻り光束内において、Ｐ偏光および／またはＳ偏光につき、透過率の異なる複数の領域を設定するとともに、Ｐ−Ｓ位相差につき、値の異なる複数の領域を設定し、再生信号の品質を高める。
【００３１】
図５は、第２透明体５０の入射面５１および出射面５２の誘電体多層膜５１ａ，５２ａの領域分割例を示し、（ａ）は入射面５１の領域分割の平面図、（ｂ）は入射面５１の領域分割の第２透明体５０の傾きを考慮した投影図、（ｃ）は出射面５２の領域分割の平面図、（ｄ）は出射面５２の領域分割の第２透明体５０の傾きを考慮した投影図、（ｅ）は各領域に与えられるＴｓ、Ｔｐ、およびＰ−Ｓ位相差の例を示すテーブルである。
【００３２】
図５（ａ）（ｂ）（ｃ）（ｄ）において、破線で囲まれた領域は、戻り光束Ｂｍが通過する領域を示す。そして、同（ａ）（ｂ）において、分割された各領域は、図３および図４に示したレンズ瞳Ｅｅ内での領域に対応している。すなわち、領域Ａは、高周波再生信号を多く含む。領域Ｂは、隣接トラックからの漏れ信号を多く含む。領域Ｃは、各信号が混在する。この実施形態では、図５（ｅ）に示すように、領域ＢのＴｐおよびＴｓを他の領域に比較して低くし、隣接トラックからのノイズを抑制している。また、領域ＣのＴｐおよびＴｓを領域Ａのそれに比較してやや低くしている。領域Ｃは、低周波再生信号を最も多く含むため、領域Ａに比較して透過率をやや低めることによって、高周波再生信号との量的割合のバランスをとるようにしている。
【００３３】
ところで、上記の実施形態では、各領域において、ＴｐとＴｓとを同値にしているが、入射偏光の方向を考慮すると、次のことがいえる。すなわち、図３についてすでに説明したことから明らかなように、入射偏光の方向が光ディスク媒体Ｄｃの記録トラックＴｒと平行である場合、領域Ａに出現する高周波再生信号は、Ｓ偏光成分であり、領域Ｂに出現する漏れ信号は、Ｐ偏光成分である。したがって、この場合、領域Ｂについては、Ｔｐを領域ＡのＴｐよりも低くすれば、隣接トラックからのノイズ低減という目的は達成できる。また、図４について説明したことから明らかなように、入射偏光の方向が光ディスク媒体Ｄｃの記録トラックＴｒと直交する場合、領域Ａに出現する高周波再生信号は、Ｐ偏光成分であり、領域Ｂに出現する漏れ信号は、Ｓ偏光成分である。したがって、この場合、領域Ｂについて、Ｔｓを領域ＡのＴｓよりも低くすれば、隣接トラックからのノイズ低減という目的は達成できる。
【００３４】
次に、対物レンズ系１０において、レンズ瞳ＥｅにおけるＮＡの高い領域、すなわち、レンズ系１０の周縁領域ではＰ偏光の位相が遅れることを考慮し、第２透明体５０の出射面５２に形成した誘電体多層膜５２ａにより、Ｐ−Ｓ位相差の変調を行い、上記のような位相遅れを補正する。すなわち、図５（ｃ）（ｄ）（ｅ）に示すように、戻り光束Ｂｍの中心に相当する領域Ｆについては、Ｐ−Ｓ位相差の補正を行わずに光学的に透明とし、記録トラックＴｒと直交する方向に相当する戻り光束直径に沿う周縁領域、すなわち領域ＤについてはＰ−Ｓ位相差を負とし、記録トラックＴｒに沿う方向に相当する戻り光束直径に沿う周縁領域、すなわち領域ＥについてはＰ−Ｓ位相差を正とする。この実施形態では、領域ＤのＰ−Ｓ位相差を−１０度、領域ＥのＰ−Ｓ位相差を＋１０度としている。
【００３５】
第２透明体５０を通過した再生信号光はウォラストン・プリズム４１に入射するが、戻り光束内のＰ偏光成分およびＳ偏光成分の位相がそろっているため、楕円偏光性が消失し、かつ、カー回転によって生じる偏光成分が再生光学系からみて最適に導かれる。それ故、良好な再生信号を得ることができ、また、漏れ込み信号も少なくなる。
【００３６】
第２透明体５０の入射面５１および出射面５２に設定する各領域の分割構成および各領域に与える透過率とＰ−Ｓ位相差の値は、図５に示した例に限定されず、光ディスク媒体Ｄｃ、対物レンズ系１０、再生信号検出系４０を構成する各要素の特性に応じて種々に設定することができる。たとえば、領域ＦのＰ−Ｓ位相差を＋１０度としたならば、領域ＤのＰ−Ｓ位相差を０度とし、領域ＥのＰ−Ｓ位相差を＋２０度とする。要は、領域Ｆに付与するＰ−Ｓ位相差に対し、領域Ｄは相対的に負、領域Ｅは相対的に正となっていればよく、また、位相差の値も適宜調整すればよい。また、戻り光束内での位相差分布が急峻である場合には、領域Ｄおよび領域Ｅをさらに半径方向について分割し、こうしてさらに分割された各領域にそれぞれ所定のＰ−Ｓ位相差を与えることもできる。
【００３７】
図６は、第２透明体５０の入射面５１および出射面５２の誘電体多層膜５１ａ，５２ａによって実現される透過率変調およびＰ−Ｓ位相差変調の他の形態を示している。この実施形態では、低周波再生信号成分を多く含む領域Ｃの形状を記録トラックに沿う方向にやや幅広としている関係から、この領域ＣのＴｐおよびＴｓを、図５に示したものよりも、さらに低めている。
【００３８】
図７は、第２透明体５０の入射面５１および出射面５２の誘電体多層膜５１ａ，５２ａによって実現される透過率変調およびＰ−Ｓ位相差変調のさらに他の形態を示している。この実施形態では、領域Ｄと領域Ｅとの間に、領域Ｆを放射状に延長している。
【００３９】
図１に示す実施形態では、第１の透明体１４を含む対物レンズ系１０において、入射偏光の方向に応じて、Ｐ偏光とＳ偏光のいずれか一方の透過率をいずれか他方の透過率よりも実質的に大として高周波再生信号成分を強調するとともに漏れ込み信号を削減する本願発明の第１の側面に係る手段、再生信号検出系４０において、戻り光束に傾きをもって介装された第２透明体５０の誘電体多層膜５１ａ，５２ａによって、Ｐ偏光およびＳ偏光の透過率変調を行い、あるいは、Ｐ−Ｓ位相差変調を行う本願発明の第２の側面に係る手段のすべてが採用されているが、これらの手段を選択的に採用しても、所定の効果を期待することができる。
【００４０】
また、光ピックアップの形式、再生信号検出系の具体的構成もまた、種々のものが採用できることももちろんである。さらには、第２透明体５０は、その入射面５１あるいは出射面５２のいずれか一方のみが戻り光束Ｂｍに対して傾斜し、いずれか他方は戻り光束に対して直交するようにしてもよい。この場合、戻り光束と傾斜する入射面または出射面に形成される誘電体多層膜に、上記した透過率変調機能あるいはＰ−Ｓ位相差変調機能を持たせることになる。
【００４１】
なお、本願発明の範囲は上記した実施形態に限定されず、特許請求の範囲の各請求項に記載した事項の範囲内でのあらゆる変更は、すべて本願発明の範囲に含まれる。本願発明の光ディスク装置の光ディスク媒体への記録方式についても限定されず、光磁気記録方式のほか、相変化記録方式のいずれをも採用することができることはいうまでもない。
【００４２】
【発明の効果】
以上のように、本願発明によれば、簡単な構成により、対物レンズ系を高ＮＡ化した場合、あるいは光源として短波長光源を用いた場合においても、Ｓ／Ｎ比の高い高品質な光ディスク記録再生が可能となる。
【図面の簡単な説明】
【図１】本願発明の光ディスク装置の一実施形態の構成を示す模式図である。
【図２】本願発明の原理の説明図である。
【図３】本願発明の原理の説明図である。
【図４】本願発明の原理の説明図である。
【図５】図１に示される光ディスク装置における第２透明体の仕様の説明図である。
【図６】図１に示される光ディスク装置における第２透明体の他の仕様の説明図である。
【図７】図１に示される光ディスク装置における第２透明体のさらに他の仕様の説明図である。
【符号の説明】
１　　　光ディスク装置
２　　　光ピックアップ
１０　　対物レンズ系
１１　　第１レンズ
１２　　第２レンズ
１３　　２次元アクチュエータ
１４　　第１透明体
１５　　コイル
２０　　第１のビーム・スプリッタ
３０　　第２のビーム・スプリッタ
４０　　再生光学系（再生信号検出系）
４１　　ウォラストン・プリズム
４２　　レンズ
４３　　検出器
５０　　第２透明体
５１　　入射面
５２　　出射面
５１ａ　誘電体多層膜
５２ａ　誘電体多層膜
Ｄｃ　　光ディスク媒体
Ｓｐ　　光スポット
Ｔｒ　　記録トラック
Ｅｅ　　レンズ瞳
Ｂｍ　　戻り光束
Ａ〜Ｆ　領域
【図１】
2004005810.tif 000003
【図２】
2004005810.tif 000004
【図３】
2004005810.tif 000005
【図４】
2004005810.tif 000006
【図５】
2004005810.tif 000007
【図６】
2004005810.tif 000008
【図７】
2004005810.tif 000009